(57)【特許請求の範囲】
【請求項１】
ＳＩＭ（ｓｕｂｓｃｒｉｂｅｒ  ｉｄｅｎｔｉｔｙ  ｍｏｄｕｌｅ）カードの信号変換方法であって、
前記ＳＩＭカードにより出力される原信号を、第１の信号伝送路を用いて取得するステップと、
前記原信号を目標信号に変換するステップであって、等しい伝送条件および／または等しい伝送距離のもとでは、前記目標信号の信号減衰および／またはひずみが前記原信号の信号減衰および／またはひずみより小さいステップと、
前記目標信号を端末装置に送信するステップであって、前記端末装置は第２の信号伝送路を用いて前記目標信号を取得し、前記ＳＩＭカードは前記端末装置から独立して存在するステップと
を含む信号変換方法。
【請求項２】
前記原信号には、以下すなわち、論理ゲート回路ＴＴＬ信号、およびＣＭＯＳ（ｃｏｍｐｌｅｍｅｎｔａｒｙ  ｍｅｔａｌ−ｏｘｉｄｅ−ｓｅｍｉｃｏｎｄｕｃｔｏｒ）信号のうち少なくとも１つが含まれ、
前記目標信号には、以下すなわち、ＲＳ２３２信号、またはＬＶＤＳ（ｌｏｗ−ｖｏｌｔａｇｅ  ｄｉｆｆｅｒｅｎｔｉａｌ  ｓｉｇｎａｌ）信号、またはＵＳＢ（ｕｎｉｖｅｒｓａｌ  ｓｅｒｉａｌ  ｂｕｓ）信号のうち少なくとも１つが含まれる、
請求項１に記載の方法。
【請求項３】
前記原信号を前記目標信号に変換する前記ステップは、具体的には、前記原信号をＲＳ２３２信号に変換するステップであって、
第１の専用変換チップを用いるか、またはＦＰＧＡ（ｆｉｅｌｄ  ｐｒｏｇｒａｍｍａｂｌｅ  ｌｏｇｉｃ  ｇａｔｅ  ａｒｒａｙ）を用いて、前記原信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ）信号に変換するステップと、
第２の専用変換チップを用いるか、または取り外し可能な装置を用いて、前記ＵＡＲＴ信号を前記ＲＳ２３２信号に変換するステップと
を含み、
前記目標信号を前記端末装置に送信する前記ステップは、具体的には、
前記ＲＳ２３２信号を前記端末装置に送信するステップである、
請求項１または２に記載の方法。
【請求項４】
前記原信号を前記目標信号に変換する前記ステップは、具体的には、前記原信号をＬＶＤＳ信号に変換するステップであって、
第３の専用変換チップを用いて前記原信号を前記ＬＶＤＳ信号に変換するステップを含み、
前記目標信号を前記端末装置に送信する前記ステップは、具体的には、
前記ＬＶＤＳ信号を前記端末装置に送信するステップである、
請求項１または２に記載の方法。
【請求項５】
前記原信号を前記目標信号に変換する前記ステップは、具体的には、前記原信号をＵＳＢ信号に変換するステップであって、
第４の専用変換チップを用いて前記原信号を前記ＵＳＢ信号に変換するステップを含み、
前記原信号を前記端末装置に送信する前記ステップは、具体的には、
前記ＵＳＢ信号を前記端末装置に送信するステップである、
請求項１または２に記載の方法。
【請求項６】
前記第１および第２の信号伝送路の素材、または前記第１および第２の信号伝送路の幾何学的構造、または前記第１および第２の信号伝送路の技術的処理に対する前記目標信号の要件は、前記第１および第２の信号伝送路の素材、または前記第１および第２の信号伝送路の幾何学的構造、または前記第１および第２の信号伝送路の技術的処理に対する前記原信号の要件よりも低い、請求項１から５のいずれかに記載の方法。
【請求項７】
前記端末装置は、前記目標信号から前記原信号を復元する機能を有する端末装置である、請求項１から５のいずれかに記載の方法。
【請求項８】
信号変換機器であって、ＳＩＭ（ｓｕｂｓｃｒｉｂｅｒ  ｉｄｅｎｔｉｔｙ  ｍｏｄｕｌｅ）カードにより出力される原信号を、第１の信号伝送路を用いて取得するよう構成された取得モジュールと、
前記原信号を目標信号に変換するよう構成された変換モジュールであって、等しい伝送条件および／または等しい伝送距離のもとでは、前記目標信号の信号減衰および／またはひずみが前記原信号の信号減衰および／またはひずみより小さい変換モジュールと、
前記目標信号を端末装置に送信するよう構成された送信モジュールであって、前記端末装置は第２の信号伝送路を用いて前記目標信号を取得し、前記ＳＩＭカードは前記端末装置から独立して存在する送信モジュールと
を含む信号変換機器。
【請求項９】
前記原信号には、以下すなわち、論理ゲート回路ＴＴＬ信号、またはＣＭＯＳ（ｃｏｍｐｌｅｍｅｎｔａｒｙ  ｍｅｔａｌ−ｏｘｉｄｅ−ｓｅｍｉｃｏｎｄｕｃｔｏｒ）信号のうち少なくとも１つが含まれ、
前記目標信号には、以下すなわち、ＲＳ２３２信号、またはＬＶＤＳ（ｌｏｗ−ｖｏｌｔａｇｅ  ｄｉｆｆｅｒｅｎｔｉａｌ  ｓｉｇｎａｌ）信号、またはＵＳＢ（ｕｎｉｖｅｒｓａｌ  ｓｅｒｉａｌ  ｂｕｓ）信号のうち少なくとも１つが含まれる、
請求項８に記載の信号変換機器。
【請求項１０】
前記変換モジュールは、
第１の専用変換チップを用いるか、またはＦＰＧＡ（ｆｉｅｌｄ  ｐｒｏｇｒａｍｍａｂｌｅ  ｌｏｇｉｃ  ｇａｔｅ  ａｒｒａｙ）を用いて、前記原信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ）信号に変換するよう構成された第１の変換サブモジュールと、
第２の専用変換チップを用いるか、または取り外し可能な装置を用いて、前記ＵＡＲＴ信号をＲＳ２３２信号に変換するよう構成された第２の変換サブモジュールと
を備え、
前記送信モジュールは、
前記ＲＳ２３２信号を前記端末装置に送信するよう構成された第１の送信サブモジュールを備える、
請求項８または９に記載の信号変換機器。
【請求項１１】
前記変換モジュールは、
第３の専用変換チップを用いて前記原信号をＬＶＤＳ信号に変換するよう構成された第３の変換サブモジュールを備え、
前記送信モジュールは、
前記ＬＶＤＳ信号を前記端末装置に送信するよう構成された第２の送信サブモジュールを備える、
請求項８または９に記載の信号変換機器。
【請求項１２】
前記変換モジュールは、
第４の専用変換チップを用いて前記原信号をＵＳＢ信号に変換するよう構成された第４の変換サブモジュールを備え、
前記送信モジュールは、
前記ＵＳＢ信号を前記端末装置に送信するよう構成された第３の送信サブモジュールを備える、
請求項８または９に記載の信号変換機器。
【請求項１３】
前記第１および第２の信号伝送路の素材、または前記第１および第２の信号伝送路の幾何学的構造、または前記第１および第２の信号伝送路の技術的処理に対する前記目標信号の要件は、前記第１および第２の信号伝送路の素材、または前記第１および第２の信号伝送路の幾何学的構造、または前記第１および第２の信号伝送路の技術的処理に対する前記原信号の要件よりも低い、請求項８から１２のいずれかに記載の信号変換機器。
【請求項１４】
前記端末装置は、前記目標信号から前記原信号を復元する機能を有する端末装置である、請求項８から１２のいずれかに記載の信号変換機器。
【発明の詳細な説明】
【技術分野】
【０００１】
本発明の諸実施形態は、通信分野に関し、具体的にはＳＩＭカードの信号変換方法および信号変換機器に関する。
【背景技術】
【０００２】
既存のＳＩＭ（Ｓｕｂｓｃｒｉｂｅｒ  Ｉｄｅｎｔｉｔｙ  Ｍｏｄｕｌｅ、加入者識別モジュール）カードは２つのタイプに分類される。すなわち、ＩＣ（Ｉｎｔｅｇｒａｔｅｄ  Ｃｉｒｃｕｉｔ、集積回路）ＳＩＭカードと、チップＳＩＭカードである。
【０００３】
本出願は、２０１３年９月１６日中国特許庁出願「ＳＩＭカードの信号変換方法および信号変換機器」と題する中国特許出願第２０１３１０４２２９１１．９号明細書の優先権を主張し、参照により本明細書にその全体を組み込むものとする。
【０００４】
ＩＣ  ＳＩＭカードはマイクロプロセッサを備えるチップであり、５つの機能モジュールが内部に組み込まれている。これらの機能モジュールは、ＳＩＭカードの銅接触部の裏側に接着して密封されており、一般的なＩＣカードと同様の方法でパッケージされている。一般的なＩＣカードのパッケージ方法の場合、カードを形成する国際規格に準拠した基盤に、超小型電子チップが埋め込まれている。パッケージが完了したＳＩＭカードは、端末のカードコネクタに挿入される。ユーザは実際の要件に応じて、ＳＩＭカードを挿入、取り外し、または取り換えることができる。このタイプのＳＩＭカードは、通常プラスチックまたは一般的な金属銅でできている。従って、このタイプのＳＩＭカードの表面は、高温になると変形しやすい。変形したＳＩＭカードは、ユーザが使用する際、動作に影響を及ぼす。このタイプのＳＩＭカードの許容温度は、マイナス２５度から７０度の範囲である。
【０００５】
ＩＣ  ＳＩＭカードは、動作する温度の許容範囲が狭く、工業用装置および車載装置に適用するための要件を満たすことができない。そこで、チップＳＩＭカードが生み出された。このタイプのＳＩＭカードでは、ＩＣ  ＳＩＭカードの５つのモジュールがチップの内部にパッケージされているため、信頼性が高く、許容温度範囲も比較的広い。通常、温度仕様はマイナス４０度から８５度の範囲である。
【０００６】
ＩＣ  ＳＩＭカードおよびチップＳＩＭカードは、外部ピン機能および時系列の要件において一致しており、パッケージ形態が異なるだけである。主な外部ピンはＶＣＣ、ＲＳＴ、ＩＯ、ＣＬＫ、ＶＰＰ、およびＧＮＤである。レベルは平均１．８Ｖから５Ｖ（１．８Ｖおよび５Ｖを含む）の範囲である。現在ＳＩＭカードの大部分は１．８Ｖのレベルであり、電源投入の時系列に対する要件は比較的厳しい。
【０００７】
ＳＩＭカードにより出力される原信号の伝送距離は短い。ＰＣＢ（Ｐｒｉｎｔｅｄ  Ｃｉｒｃｕｉｔ  Ｂｏａｒｄ、プリント基板）上の配線エミュレーションの分析によると、一般に、ＳＩＭカードにより出力される原信号用の配線の長さは２５ｃｍを超えるべきではない。この距離を超える場合、ＳＩＭカードの信号を読み出すことができないという問題が、確率的に発生しうる。従って、ＳＩＭカードは一般に、使用する装置内に直接配置される。
【０００８】
しかし、ＳＩＭカードを装置から離して配置する必要がある用途においては、ＳＩＭカードを装置内に直接配置することはできない。例えば、（１）車載エンターテイメントシステムにおいて、車両のタイプによっては、ＳＩＭカードを車両の主要通信システムから離して配置する必要がある。（２）工業用通信モジュールにおいて、周囲が高温になるため、長時間高温に晒して変形することによるＳＩＭカードの不具合を防ぐために、ＳＩＭカードを端末装置から離しておく必要がある。しかし、ＳＩＭカードを装置から離して配置すると、ＳＩＭカードにより出力される原信号の現在の伝送距離では、これらの用途を満足させることはできない。
【０００９】
従って、前述の問題を解決する方法を提供する必要がある。
【発明の概要】
【課題を解決するための手段】
【００１０】
本発明の諸実施形態により、加入者識別モジュールの信号変換方法および信号変換機器を提供する。これにより、生成された目標信号を、信号伝送路を用いて、比較的長い距離にわたり伝送することができ、ＳＩＭカードを端末装置から離して配置する必要がある用途を満足させることができる。
【００１１】
本発明の諸実施形態の第１の態様により提供するＳＩＭカードの信号変換方法は、ＳＩＭカードにより出力される原信号を取得するステップと、
原信号を目標信号に変換するステップであって、等しい伝送条件および／または等しい伝送距離のもとでは、目標信号の信号減衰および／またはひずみが原信号の信号減衰および／またはひずみより小さいステップと、
目標信号を端末装置に送信するステップであって、端末装置は信号伝送路を用いて目標信号を取得し、ＳＩＭカードは端末装置から独立して存在するステップと
を含む。
【００１２】
本発明の諸実施形態の第１の態様に関して、本発明の諸実施形態の第１の態様の第１の実装方法において、原信号には、以下すなわち、論理ゲート回路ＴＴＬ信号、またはＣＭＯＳ（ｃｏｍｐｌｅｍｅｎｔａｒｙ  ｍｅｔａｌ−ｏｘｉｄｅ−ｓｅｍｉｃｏｎｄｕｃｔｏｒ、相補型ＭＯＳ）信号のうち少なくとも１つが含まれ、
目標信号には、以下すなわち、ＲＳ２３２信号、またはＬＶＤＳ（ｌｏｗ−ｖｏｌｔａｇｅ  ｄｉｆｆｅｒｅｎｔｉａｌ  ｓｉｇｎａｌ、低電圧差動信号）信号、またはＵＳＢ（ｕｎｉｖｅｒｓａｌ  ｓｅｒｉａｌ  ｂｕｓ、ユニバーサルシリアルバス）信号のうち少なくとも１つが含まれる。
【００１３】
本発明の諸実施形態の第１の態様、または第１の態様の第１の実装方法に関して、本発明の諸実施形態の第１の態様の第２の実装方法において、原信号を目標信号に変換するステップは、具体的には、原信号をＲＳ２３２信号に変換するステップであって、
第１の専用変換チップを用いるか、またはＦＰＧＡ（ｆｉｅｌｄ  ｐｒｏｇｒａｍｍａｂｌｅ  ｌｏｇｉｃ  ｇａｔｅ  ａｒｒａｙ）を用いて、原信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ、汎用非同期送受信回路）信号に変換するステップと、
第２の専用変換チップを用いるか、または取り外し可能な装置を用いて、ＵＡＲＴ信号をＲＳ２３２信号に変換するステップと、を含み
目標信号を端末装置に送信するステップは、具体的には、
ＲＳ２３２信号を端末装置に送信するステップである。
【００１４】
本発明の諸実施形態の第１の態様、または第１の態様の第１の実装方法に関して、本発明の諸実施形態の第１の態様の第３の実装方法において、原信号を目標信号に変換するステップは、具体的には、原信号をＬＶＤＳ信号に変換するステップであって、
第３の専用変換チップを用いて原信号をＬＶＤＳ信号に変換するステップを含み、
目標信号を端末装置に送信するステップは、具体的には、
ＬＶＤＳ信号を端末装置に送信するステップである。
【００１５】
本発明の諸実施形態の第１の態様、または第１の態様の第１の実装方法に関して、本発明の諸実施形態の第１の態様の第４の実装方法において、原信号を目標信号に変換するステップは、具体的には、原信号をＵＳＢ信号に変換するステップであって、
第４の専用変換チップを用いて原信号をＵＳＢ信号に変換するステップを含み、
原信号を端末装置に送信するステップは、具体的には、
ＵＳＢ信号を端末装置に送信するステップである。
【００１６】
本発明の諸実施形態の第１の態様、または第１の態様の第１の実装方法、または第１の態様の第２の実装方法、または第１の態様の第３の実装方法、または第１の態様の第４の実装方法に関して、本発明の諸実施形態の第１の態様の第５の実装方法において、信号伝送路の素材、または信号伝送路の幾何学的構造、または信号伝送路の技術的処理に対する目標信号の要件は、信号伝送路の素材、または信号伝送路の幾何学的構造、または信号伝送路の技術的処理に対する原信号の要件よりも低い。
【００１７】
本発明の諸実施形態の第１の態様、または第１の態様の第１の実装方法、または第１の態様の第２の実装方法、または第１の態様の第３の実装方法、または第１の態様の第４の実装方法に関して、本発明の諸実施形態の第１の態様の第６の実装方法において、端末装置は、目標信号から原信号を復元する機能を有する端末装置である。
【００１８】
本発明の諸実施形態の第２の態様により、信号変換機器を提供する。信号変換機器は、ＳＩＭ（ｓｕｂｓｃｒｉｂｅｒ  ｉｄｅｎｔｉｔｙ  ｍｏｄｕｌｅ）カードにより出力される原信号を取得するよう構成された取得モジュールと、
原信号を目標信号に変換するよう構成された変換モジュールであって、等しい伝送条件および／または等しい伝送距離のもとでは、目標信号の信号減衰および／またはひずみが原信号の信号減衰および／またはひずみより小さい変換モジュールと、
目標信号を端末装置に送信するよう構成された送信モジュールであって、端末装置は信号伝送路を用いて目標信号を取得し、ＳＩＭカードは端末装置から独立して存在する送信モジュールと、を含む。
【００１９】
本発明の諸実施形態の第２の態様に関して、本発明の諸実施形態の第２の態様の第１の実装方法において、原信号には、以下すなわち、論理ゲート回路ＴＴＬ信号、またはＣＭＯＳ（ｃｏｍｐｌｅｍｅｎｔａｒｙ  ｍｅｔａｌ−ｏｘｉｄｅ−ｓｅｍｉｃｏｎｄｕｃｔｏｒ）信号のうち少なくとも１つが含まれ、
目標信号には、以下すなわち、ＲＳ２３２信号、またはＬＶＤＳ（ｌｏｗ−ｖｏｌｔａｇｅ  ｄｉｆｆｅｒｅｎｔｉａｌ  ｓｉｇｎａｌ）信号、またはＵＳＢ（ｕｎｉｖｅｒｓａｌ  ｓｅｒｉａｌ  ｂｕｓ）信号のうち少なくとも１つが含まれる。
【００２０】
本発明の諸実施形態の第２の態様、または第２の態様の第１の実装方法に関して、本発明の諸実施形態の第２の態様の第２の実装方法において、変換モジュールは、
第１の専用変換チップを用いるか、またはＦＰＧＡ（ｆｉｅｌｄ  ｐｒｏｇｒａｍｍａｂｌｅ  ｌｏｇｉｃ  ｇａｔｅ  ａｒｒａｙ）を用いて、原信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ）信号に変換するよう構成された第１の変換サブモジュールと、
第２の専用変換チップを用いるか、または取り外し可能な装置を用いて、ＵＡＲＴ信号をＲＳ２３２信号に変換するよう構成された第２の変換サブモジュールと、を含み、
送信モジュールは、
ＲＳ２３２信号を端末装置に送信するよう構成された第１の送信サブモジュールを含む。
【００２１】
本発明の諸実施形態の第２の態様、または第２の態様の第１の実装方法に関して、本発明の諸実施形態の第２の態様の第３の実装方法において、変換モジュールは、第３の専用変換チップを用いて原信号をＬＶＤＳ信号に変換するよう構成された第３の変換サブモジュールを含み、
送信モジュールは、
ＬＶＤＳ信号を端末装置に送信するよう構成された第２の送信サブモジュールを含む。
【００２２】
本発明の諸実施形態の第２の態様、または第２の態様の第１の実装方法に関して、本発明の諸実施形態の第２の態様の第４の実装方法において、変換モジュールは、第４の専用変換チップを用いて原信号をＵＳＢ信号に変換するよう構成された第４の変換サブモジュールを含み
送信モジュールは、
ＵＳＢ信号を端末装置に送信するよう構成された第３の送信サブモジュールを含む。
【００２３】
本発明の諸実施形態の第２の態様、または第２の態様の第１の実装方法、または第２の態様の第２の実装方法、または第２の態様の第３の実装方法、または第２の態様の第４の実装方法に関して、本発明の諸実施形態の第２の態様の第５の実装方法において、信号伝送路の素材、または信号伝送路の幾何学的構造、または信号伝送路の技術的処理に対する目標信号の要件は、信号伝送路の素材、または信号伝送路の幾何学的構造、または信号伝送路の技術的処理に対する原信号の要件よりも低い。
【００２４】
本発明の諸実施形態の第２の態様、または第２の態様の第１の実装方法、または第２の態様の第２の実装方法、または第２の態様の第３の実装方法、または第２の態様の第４の実装方法に関して、本発明の諸実施形態の第２の態様の第６の実装方法において、端末装置は、目標信号から原信号を復元する機能を有する端末装置である。
【００２５】
本発明の諸実施形態が以下の利点を有することは、前述の技術的解決策から理解できる。
【００２６】
本発明の諸実施形態において、ＳＩＭカードは端末装置から独立して存在し、信号変換機器は、ＳＩＭカードにより出力される原信号を取得し、原信号を目標信号に変換する。目標信号の耐干渉性能は、ＳＩＭカードにより出力される原信号の耐干渉性能より優れている、または、目標信号の伝送消費電力は、ＳＩＭカードにより出力される原信号の伝送消費電力より少ない、または、目標信号は、より複雑でより不都合な伝送環境に適合することができる。従って、等しい伝送条件および／または等しい伝送距離のもとでは、目標信号の信号減衰および／またはひずみが原信号の信号減衰および／またはひずみより小さく、信号伝送路を用いて、目標信号をより長い距離にわたり伝送することができる。従って、目標信号は、ＳＩＭカードを端末装置から離して配置する必要がある用途を満足させることができる。
【図面の簡単な説明】
【００２７】
本発明の諸実施形態または先行技術における技術的解決策をより明確に説明するために、諸実施形態または先行技術の説明に必要な添付図面を以下に簡潔に紹介する。明らかなように、以下の説明における添付図面は、本発明のいくつかの実施形態を単に示すものであり、当業者は、創造的な努力をせずとも、これらの添付図面から他の図面を引き出すことができよう。
【００２８】
【図１】本発明の一実施形態によるＳＩＭカードの信号変換方法の概略図である。
【図２】本発明の別の実施形態によるＳＩＭカードの信号変換方法の概略図である。
【図３】本発明の別の実施形態によるＳＩＭカードの信号変換方法の概略図である。
【図４】本発明の別の実施形態によるＳＩＭカードの信号変換方法の概略図である。
【図５】本発明の一実施形態による信号変換機器の概略図である。
【図６】本発明の別の実施形態による信号変換機器の概略図である。
【図７】本発明の別の実施形態による信号変換機器の概略図である。
【発明を実施するための形態】
【００２９】
本発明の諸実施形態の添付図面を参照して、本発明の諸実施形態における技術的解決策を以下に説明する。明らかなように、説明する諸実施形態は、本発明の実施形態のほんの一部であって、すべてではない。当業者が本発明の諸実施形態に基づき、創造的な努力をせずとも得ることができる他の実施形態のすべてが、本発明の保護範囲内にある。
【００３０】
本発明の諸実施形態により、ＳＩＭカードの信号変換方法および信号変換機器を提供し、これによりＳＩＭカードを端末装置から離して配置する必要がある用途を満足させることができる。
【００３１】
図１は、本発明の一実施形態によるＳＩＭカードの信号変換方法の概略図である。図１を参照すると、本発明の該実施形態におけるＳＩＭカードの信号変換方法は、以下を含む。
【００３２】
１０１：ＳＩＭカードにより出力される原信号を取得する。
【００３３】
本発明の該実施形態において、ＳＩＭカードにより出力される原信号は、論理ゲート回路（ＴＴＬ、Ｔｒａｎｓｉｓｔｏｒ−Ｔｒａｎｓｉｓｔｏｒ  Ｌｏｇｉｃ、トランジスタ−トランジスタ論理回路）信号、またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）信号、または別のタイプの一般レベルの信号であってよい。これらの信号間の主な違いは、電圧の高レベルまたは低レベルの値にある。従って、これらの信号間で互いに変換を行うことは、非常に容易である。信号変換機器が、ＳＩＭカードにより出力される原信号を取得する。
【００３４】
１０２：原信号を目標信号に変換する。
【００３５】
一般に、ＳＩＭカードにより出力される原信号は、比較的短距離（数十ｃｍ）のみ伝送可能である。従って、通常、ＳＩＭカードはカードスロットに挿入され、カードスロットは、端末装置に直接配置されている。結果として、ＳＩＭカードにより出力される原信号の伝送距離では、ＳＩＭカードを端末装置から離して配置する必要がある用途を満足させることができない。
【００３６】
本発明の該実施形態において、ＳＩＭカードを端末装置から離すことができる。すなわち、ＳＩＭカードは端末装置から独立して存在する。ＳＩＭカードと信号変換機器との間および信号変換機器と端末装置との間の両方の接続に、信号伝送路を用いることができる。
【００３７】
ＳＩＭカードにより出力される原信号を取得した後、信号変換機器はＳＩＭカードにより出力される原信号を目標信号に変換する。目標信号は、ＲＳ２３２信号、またはＵＳＢ（Ｕｎｉｖｅｒｓａｌ  Ｓｅｒｉａｌ  ＢＵＳ）信号、またはＬＶＤＳ（Ｌｏｗ−Ｖｏｌｔａｇｅ  Ｄｉｆｆｅｒｅｎｔｉａｌ  Ｓｉｇｎａｌ）信号であってよい。
【００３８】
具体的には、信号変換機器が原信号をどのタイプの目標信号に変換する必要があるかは、端末装置のポートに応じて判断することができる。例えば、端末装置のポートがＲＳ２３２信号を認識可能であって、端末装置がＲＳ２３２信号から原信号を復元する機能を有する場合、信号変換機器は原信号をＲＳ２３２信号に変換する。端末装置がＵＳＢポートを有する場合、信号変換機器は原信号をＵＳＢ信号に変換する。端末装置のポートがＬＶＤＳ信号を認識可能であって、端末装置がＬＶＤＳ信号から原信号を復元する機能を有する場合、信号変換機器は原信号をＬＶＤＳ信号に変換する。
【００３９】
等しい伝送条件および／または等しい伝送距離のもとでは、目標信号の信号減衰および／またはひずみは原信号の信号減衰および／またはひずみより小さい。本明細書において、等しい伝送条件とは、主に同一の温度および同一の伝送干渉を指す。
【００４０】
１０３：目標信号を端末装置に送信する。
【００４１】
端末装置は、具体的には、携帯電話やタブレットコンピュータ（ＰＡＤ）といった携帯端末装置であってよい。
【００４２】
ＳＩＭカードにより出力される原信号を目標信号に変換した後、信号変換機器は信号伝送路を用いて目標信号を端末装置に送信する。等しい伝送条件および／または等しい伝送距離のもとでは、目標信号の信号減衰および／またはひずみが原信号の信号減衰および／またはひずみより小さいので、目標信号をより長い距離にわたり伝送することができる。
【００４３】
具体的には、例えば、目標信号がＲＳ２３２信号である場合、ＲＳ２３２信号の最大伝送距離は１５メートルに達することが可能であるが、ＴＴＬ信号といったＳＩＭカードにより出力される原信号の場合、最大でも数十センチ伝送できるにすぎない。ＲＳ２３２信号の伝送距離は原信号の伝送距離よりはるかに長く、ＲＳ２３２信号は、強い環境干渉に抵抗することができ、より複雑でより不都合な伝送条件に適合することができる。あるいは、目標信号がＬＶＤＳ信号である場合、ＬＶＤＳ信号の伝送距離は数十メートルに達することが可能であり、数十センチ、つまりＳＩＭカードにより出力される原信号の最大伝送距離よりはるかに長い。さらに、ＬＶＤＳ信号は、振幅が小さく、低電圧振幅かつ低電流のドライバを用いて出力可能であることを特徴し、消費電力およびノイズを最小限にすることができる。目標信号がＵＳＢ信号である場合、ＵＳＢ信号の最大伝送距離は５メートルである。内蔵型のチップ増幅器を備えるＵＳＢ信号増幅器路をＵＳＢ信号の送信に用いる場合、ＵＳＢ信号をさらに長い距離にわたり伝送することができる。さらに、ＵＳＢ信号の耐干渉性能はまた、ＳＩＭカードにより出力される原信号の耐干渉性能よりも優れている。
【００４４】
本発明の該実施形態において、ＳＩＭカードを端末装置から離すことができ、ＳＩＭカードと信号変換機器との間および信号変換機器と端末装置との間の両方の接続に、信号伝送路を用いることができる。信号変換機器は、ＳＩＭカードにより出力される原信号を取得し、原信号を目標信号に変換する。目標信号の耐干渉性能は、ＳＩＭカードにより出力される原信号の耐干渉性能より優れている、または、目標信号の伝送消費電力は、ＳＩＭカードにより出力される原信号の伝送消費電力より少ない、または、目標信号は、より複雑でより不都合な伝送環境に適合することができる。従って、等しい伝送条件および／または等しい伝送距離のもとでは、目標信号の信号減衰および／またはひずみが原信号の信号減衰および／またはひずみより小さく、目標信号をより長い距離にわたり伝送することができる。従って、目標信号は、ＳＩＭカードを端末装置から離して配置する必要がある用途を満足させることができる。
【００４５】
より理解を深めるために、本発明の該実施形態におけるＳＩＭカードの信号変換方法を、一具体的実施形態を用いて以下に説明する。以下では主に、ＳＩＭカードにより出力される原信号を目標信号であるＲＳ２３２信号に変換するプロセスを説明する。図２は、本発明の別の実施形態によるＳＩＭカードの信号変換方法の概略図である。図２に示すように、本発明の別の実施形態におけるＳＩＭカードの信号変換方法は、以下を含む。
【００４６】
２０１：ＳＩＭカードにより出力される原信号を取得する。
【００４７】
一般に、ＳＩＭカードにより出力される原信号の伝送距離は比較的短い。従って、通常、ＳＩＭカードはカードスロットに挿入され、カードスロットは、端末装置に直接配置されている。結果として、ＳＩＭカードにより出力される原信号の伝送距離では、ＳＩＭカードを端末装置から離して配置する必要がある用途を満足させることができない。
【００４８】
本発明の該実施形態において、ＳＩＭカードを端末装置から離すことができる。すなわち、ＳＩＭカードは端末装置から独立して存在する。ＳＩＭカードと信号変換機器との間および信号変換機器と端末装置との間の両方の接続に、信号伝送路を用いることができる。信号変換機器は、まずＳＩＭカードにより出力される原信号を取得する。
【００４９】
２０２：ＳＩＭカードにより出力される原信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ）信号に変換する。
【００５０】
ＳＩＭカードを作成する際、異なるタイプのチップを用いるため、ＳＩＭカードにより出力される原信号のタイプもまたおそらく異なっている。例えば、ＳＩＭカードにより出力される原信号は、ＴＴＬ信号、またはＣＭＯＳ信号、または別のタイプの一般レベルの信号であってよい。これらの信号間の違いは、主に電圧の高レベルまたは低レベルの値にある。
【００５１】
従って、ＳＩＭカードにより出力される異なるタイプの原信号は互いに変換することができ、変換方法は比較的簡単である。例えば、ＴＴＬ信号とＣＭＯＳ信号との間の変換は、単に２つの抵抗器を用いて電圧レベルの分割を行うことによって、実装できる。従って、本発明の該実施形態において、ＳＩＭカードによって出力される原信号がどのタイプであっても、信号変換機器は、まず、ＳＩＭカードにより出力される異なる原信号を、ＴＴＬ信号といった所与のタイプの統一信号に変換することができる。そして次に、ＴＤＡ８０２９といった第１の専用変換チップを用いるか、またはＦＰＧＡ（Ｆｉｅｌｄ  Ｐｒｏｇｒａｍｍａｂｌｅ  Ｇａｔｅ  Ａｒｒａｙ）を用いて、該統一信号をＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）信号に変換することができる。
【００５２】
ＵＡＲＴ信号はエラーを検索し修正する機能を有し、伝送の時系列、信号伝送路の素材、信号伝送路の幾何学的構造、および信号伝送路の技術的処理に対する要件は、ＳＩＭカードにより出力される原信号の伝送の時系列、信号伝送路の素材、または信号伝送路の幾何学的構造、および信号伝送路の技術的処理に対する要件よりもすべて低い。
【００５３】
しかし、ＵＡＲＴ信号の伝送距離は依然十分に長いわけではなく、従って、ドライバエンハンスメント処理をＵＡＲＴ信号に対して行うことができる。
【００５４】
２０３：ＵＡＲＴ信号をＲＳ２３２信号に変換する。
【００５５】
信号変換機器は、ＭＡＸ３２２８といった第２の専用変換チップを用いるか、またはＵＡＲＴ信号をＲＳ２３２信号に変換するための取り外し可能装置を用いて、ＵＡＲＴ信号に対してドライバエンハンスメント処理を行う。
【００５６】
ＲＳ２３２信号は、より高レベルの振幅およびより強い耐干渉性を有し、従って、信号伝送減衰およびひずみはより小さい。さらに、ＲＳ２３２信号の最大伝送距離は１５メートルに達することが可能であるが、ＳＩＭカードにより出力される原信号の最大伝送距離は数十センチにすぎない。本発明の該実施形態において、伝送距離は非常に増大する。これはＳＩＭカードの端末装置からの分離を促し、その結果ＳＩＭカードは端末装置から独立して存在し、ＳＩＭカードを端末装置から離す適用要件に見合うことになる。
【００５７】
２０４：ＲＳ２３２信号を端末装置に送信する。
【００５８】
信号変換機器は、信号伝送路を用いてＲＳ２３２信号を端末装置に送信する。ＳＩＭカードにより出力される原信号は、ＲＳ２３２信号に変換されている。従って、ＲＳ２３２信号を受信する端末装置は、ＲＳ２３２信号からＳＩＭカードにより出力される原信号を復元することができるよう、信号復元機能を有する必要がある。その結果、端末装置は信号変換機器により送信されたＲＳ２３２信号を使用することが可能となる。
【００５９】
本発明の該実施形態において、ＳＩＭカードを端末装置から離すことができ、ＳＩＭカードと信号変換機器との間および信号変換機器と端末装置との間の両方の接続に、信号伝送路を用いることができる。信号変換機器は、ＳＩＭカードにより出力される原信号を取得し、原信号をＵＡＲＴ信号に変換する。ＵＡＲＴ信号はエラーを検索し修正する機能を有し、伝送の時系列および伝送条件に対する要件は、ＳＩＭカードにより出力される原信号のそれらよりすべて低い。原信号をＵＡＲＴ信号に変換した後、信号変換機器は、ＵＡＲＴ信号をＲＳ２３２信号に変換するために、ＵＡＲＴ信号に対してドライバエンハンスメント処理を行う。ＲＳ２３２信号はより高レベルの振幅およびより強い耐干渉性を有し、より複雑でより不都合な伝送条件に適合することができる。従って、ＲＳ２３２信号をより長い距離にわたり伝送することができる。ＲＳ２３２信号の最大伝送距離は１５メートルに達することが可能である。信号変換機器は、信号伝送路を用いて、ＲＳ２３２信号を端末装置に送信する。従って、目標信号であるＲＳ２３２信号は、ＳＩＭカードを端末装置から離して配置する必要がある用途を満足させることができ、伝送環境に対する要件は、原信号の伝送環境に対する要件より低い。
【００６０】
より理解を深めるために、本発明の該実施形態におけるＳＩＭカードの信号変換方法を、別の具体的実施形態を用いて以下に説明する。以下では主に、ＳＩＭカードにより出力される原信号を、目標信号であるＬＶＤＳ（Ｌｏｗ−Ｖｏｌｔａｇｅ  Ｄｉｆｆｅｒｅｎｔｉａｌ  Ｓｉｇｎａｌｉｎｇ）信号に変換するプロセスを説明する。図３は、本発明の別の実施形態によるＳＩＭカードの信号変換方法の概略図である。図３に示すように、本発明の別の実施形態におけるＳＩＭカードの信号変換方法は、以下を含む。
【００６１】
３０１：ＳＩＭカードにより出力される原信号を取得する。
【００６２】
ＳＩＭカードにより出力される原信号の伝送距離は比較的短い。従って、通常、ＳＩＭカードはカードスロットに挿入され、カードスロットは、端末装置に直接配置されている。結果として、ＳＩＭカードにより出力される原信号の伝送距離では、ＳＩＭカードを端末装置から離して配置する必要がある用途を満足させることができない。
【００６３】
本発明の該実施形態において、ＳＩＭカードを端末装置から離すことができる。すなわち、ＳＩＭカードは端末装置から独立して存在する。ＳＩＭカードと信号変換機器との間および信号変換機器と端末装置との間の両方の接続に、信号伝送路を用いることができる。信号変換機器は、まずＳＩＭカードにより出力される原信号を取得する。
【００６４】
３０２：原信号をＬＶＤＳ信号に変換する。
【００６５】
ＳＩＭカードを作成する際、異なるタイプのチップを用いるため、ＳＩＭカードにより出力される原信号のタイプもまたおそらく異なっている。例えば、ＳＩＭカードにより出力される原信号は、ＴＴＬ信号、またはＣＭＯＳ信号、または別のタイプの一般レベルの信号であってよい。これらの信号間の違いは、主に電圧の高レベルまたは低レベルの値にある。
【００６６】
従って、ＳＩＭカードにより出力される異なるタイプの原信号は互いに変換することができ、変換方法は比較的簡単である。例えば、ＴＴＬ信号とＣＭＯＳ信号との間の変換は、単に２つの抵抗器を用いて電圧レベルの分割を行うことによって、実装できる。従って、本発明の該実施形態において、ＳＩＭカードによって出力される原信号がどのタイプであっても、信号変換機器は、まず、ＳＩＭカードにより出力される異なる原信号を、ＴＴＬ信号といった所与のタイプの統一信号に変換することができる。そして次に、第３の専用変換チップを用いて、該統一信号をＬＶＤＳ信号に変換することができる。
【００６７】
ＬＶＤＳ信号の標準的な伝送距離は、数十メートルに達することが可能であり、ＳＩＭカードにより出力される原信号の最大伝送距離である数十センチよりはるかに長い。これはＳＩＭカードの端末装置からの分離を促し、その結果ＳＩＭカードは端末装置から独立して存在し、ＳＩＭカードを端末装置から離す適用要件に見合うことになる。さらに、ＬＶＤＳ信号は、振幅が小さく、低電圧振幅かつ低電流のドライバを用いて出力可能であることを特徴し、消費電力およびノイズを最小限にすることができる。信号伝送プロセス中の信号減衰はより小さい。
【００６８】
３０３：ＬＶＤＳ信号を端末装置に送信する。
【００６９】
原信号をＬＶＤＳ信号に変換した後、信号変換機器は信号伝送路を用いてＬＶＤＳ信号を端末装置に送信する。端末装置は、ＬＶＤＳ信号から原信号を復元する機能を有する必要がある。その結果、端末装置は信号変換機器により送信されたＬＶＤＳ信号を使用することが可能となる。
【００７０】
本発明の該実施形態において、ＳＩＭカードを端末装置から離すことができ、ＳＩＭカードと信号変換機器との間および信号変換機器と端末装置との間の両方の接続に、信号伝送路を用いることができる。信号変換機器は、ＳＩＭカードにより出力される原信号を取得し、原信号をＬＶＤＳ信号に変換し、信号伝送路を用いてＬＶＤＳ信号を端末装置に送信する。ＬＶＤＳ信号の最大伝送距離は、数十メートルに達することが可能であり、ＳＩＭカードにより出力される原信号の最大伝送距離よりはるかに長い。さらに、ＬＶＤＳ信号は、振幅が小さく、低電圧振幅かつ低電流のドライバを用いて出力可能であることを特徴し、消費電力およびノイズを最小限にすることができる。信号伝送プロセス中の信号減衰はより小さい。従って、目標信号であるＬＶＤＳ信号は、ＳＩＭカードを端末装置から離して配置する必要がある用途を満足させることができる。
【００７１】
より理解を深めるために、本発明の該実施形態におけるＳＩＭカードの信号変換方法を、別の具体的実施形態を用いて以下に説明する。以下では主に、ＳＩＭカードにより出力される原信号を、目標信号であるＵＳＢ（Ｕｎｉｖｅｒｓａｌ  Ｓｅｒｉａｌ  ＢＵＳ）信号に変換するプロセスを説明する。図４は、本発明の別の実施形態によるＳＩＭカードの信号変換方法の概略図である。図４に示すように、本発明の別の実施形態におけるＳＩＭカードの信号変換方法は、以下を含む。
【００７２】
４０１：ＳＩＭカードにより出力される原信号を取得する。
【００７３】
ＳＩＭカードにより出力される原信号の伝送距離は比較的短い。従って、通常、ＳＩＭカードはカードスロットに挿入され、カードスロットは、端末装置に直接配置されている。結果として、ＳＩＭカードにより出力される原信号の伝送距離では、ＳＩＭカードを端末装置から離して配置する必要がある用途を満足させることができない。
【００７４】
本発明の該実施形態において、ＳＩＭカードを端末装置から離すことができる。すなわち、ＳＩＭカードは端末装置から独立して存在する。ＳＩＭカードと信号変換機器との間および信号変換機器と端末装置との間の両方の接続に、信号伝送路を用いることができる。信号変換機器は、まずＳＩＭカードにより出力される原信号を取得する。
【００７５】
４０２：原信号をＵＳＢ信号に変換する。
【００７６】
ＳＩＭカードを作成する際、異なるタイプのチップを用いるため、ＳＩＭカードにより出力される原信号のタイプもまたおそらく異なっている。例えば、ＳＩＭカードにより出力される原信号は、ＴＴＬ信号、またはＣＭＯＳ信号、または別のタイプの一般レベルの信号であってよい。これらの信号間の違いは、主に電圧の高レベルまたは低レベルの値にある。
【００７７】
従って、ＳＩＭカードにより出力される異なるタイプの原信号は互いに変換することができ、変換方法は比較的簡単である。例えば、ＴＴＬ信号とＣＭＯＳ信号との間の変換は、単に２つの抵抗器を用いて電圧レベルの分割を行うことによって、実装できる。従って、本発明の該実施形態において、ＳＩＭカードによって出力される原信号がどのタイプであっても、信号変換機器は、まず、ＳＩＭカードにより出力される異なる原信号を、ＴＴＬ信号といった所与のタイプの統一信号に変換することができる。そして次に、ＣＰ２１０２チップといった第４の専用変換チップを用いて、該統一信号をＵＳＢ信号に変換することができる。
【００７８】
ＵＳＢ信号が増幅されていない場合、最大伝送距離は５メートルであり、ＳＩＭカードにより出力される原信号の最大伝送距離である数十センチより長い。内蔵型のチップ増幅器を備えるＵＳＢ信号増幅器路をＵＳＢ信号の送信に用いる場合、ＵＳＢ信号をさらに長い距離にわたり伝送することができる。これはＳＩＭカードの端末装置からの分離を促し、その結果ＳＩＭカードは端末装置から独立して存在し、ＳＩＭカードを端末装置から離す適用要件に見合うことになる。さらに、ＵＳＢ信号はより強い耐干渉性を有し、従って、信号伝送減衰およびひずみはより小さい。
【００７９】
４０３：ＵＳＢ信号を端末装置に送信する。
【００８０】
信号変換機器は、信号伝送路を用いてＵＳＢ信号を端末装置に送信する。
【００８１】
具体的には、原信号をＵＳＢ信号に変換した後、信号変換機器は内蔵型のチップ増幅器を備えるＵＳＢ信号増幅器路を用いて、ＵＳＢ信号を端末装置に送信することができる。端末装置は、信号変換機器によって送信されたＵＳＢ信号を認識可能な、ＵＳＢポートを有する必要がある。
【００８２】
本発明の該実施形態において、ＳＩＭカードを端末装置から離すことができ、ＳＩＭカードと信号変換機器との間および信号変換機器と端末装置との間の両方の接続に、信号伝送路を用いることができる。信号変換機器は、ＳＩＭカードにより出力される原信号を取得し、原信号をＵＳＢ信号に変換し、ＵＳＢ信号を端末装置に送信する。ＵＳＢ信号の耐干渉性能は、ＳＩＭカードにより出力されるＴＴＬ信号、ＣＭＯＳ信号などの耐干渉性能よりも優れている。従って、信号伝送プロセス中、ＵＳＢ信号の減衰およびひずみはより小さい。ＵＳＢ信号最大伝送距離は５メートルに達することが可能であり、ＳＩＭカードにより出力される原信号の最大伝送距離である数十センチより長い。従って、目標信号であるＵＳＢ信号は、ＳＩＭカードを端末装置から離して配置する必要がある用途を満足させることができる。
【００８３】
本発明の一実施形態における信号変換機器について以下に説明する。図５は、本発明の該実施形態による信号変換機器の概略図である。図５に示すように、本発明の該実施形態における信号変換機器５０は、以下を含む。すなわち、
ＳＩＭカードにより出力される原信号を取得するよう構成された取得モジュール５１０と、
原信号を目標信号に変換するよう構成された変換モジュール５２０であって、等しい伝送条件および等しい伝送距離のもとでは、目標信号の信号減衰および／またはひずみが原信号の信号減衰および／またはひずみより小さい変換モジュール５２０と、
目標信号を端末装置に送信するよう構成された送信モジュール５３０であって、端末装置は信号伝送路を用いて目標信号を取得し、ＳＩＭカードは端末装置から独立して存在する送信モジュールである。
【００８４】
より理解を深めるために、本発明の該実施形態における信号変換機器のモジュール間の相互作用方法を、実際の適用シナリオを用いて以下に説明する。詳細は以下の通りである。
【００８５】
一般に、ＳＩＭカードにより出力される原信号の伝送距離は比較的短い。従って、通常、ＳＩＭカードはカードスロットに挿入され、カードスロットは、端末装置に直接配置されている。結果として、ＳＩＭカードにより出力される原信号の伝送距離では、ＳＩＭカードを端末装置から離して配置する必要がある用途を満足させることができない。
【００８６】
本発明の該実施形態において、ＳＩＭカードを端末装置から離すことができる。すなわち、ＳＩＭカードは端末装置から独立して存在する。ＳＩＭカードと信号変換機器との間および信号変換機器と端末装置との間の両方の接続に、信号伝送路を用いることができる。信号変換機器の取得モジュール５１０は、まずＳＩＭカードにより出力される原信号を取得する。
【００８７】
本発明の該実施形態において、ＳＩＭカードにより出力される原信号は、ＴＴＬ信号、またはＣＭＯＳ信号、または別のタイプの一般レベルの信号であってよい。これらの信号の最大伝送距離は、数十センチにすぎない。これらの信号間の主な違いは、電圧の高レベルまたは低レベルの値にある。従って、これらの信号間で互いに変換を行うことは、非常に容易である。
【００８８】
変換モジュール５２０は、ＳＩＭカードにより出力される原信号を取得し、原信号を目標信号に変換する。目標信号は、ＲＳ２３２信号、またはＬＶＤＳ信号、またはＵＳＢ信号であってよい。
【００８９】
具体的には、変換モジュール５２０が原信号をどのタイプの目標信号に変換する必要があるかは、端末装置のポートに応じて判断することができる。例えば、端末装置のポートがＲＳ２３２信号を認識可能であって、端末装置がＲＳ２３２信号から原信号を復元する機能を有する場合、変換モジュール５２０は原信号をＲＳ２３２信号に変換する。端末装置のポートがＬＶＤＳ信号を認識可能であって、端末装置がＬＶＤＳ信号から原信号を復元する機能を有する場合、変換モジュール５２０は原信号をＬＶＤＳ信号に変換する。端末装置がＵＳＢポートを有する場合、変換モジュール５２０は原信号をＵＳＢ信号に変換する。
【００９０】
端末装置は、具体的には、携帯電話やＰＡＤといった携帯端末装置であってよい。
【００９１】
等しい伝送条件および／または等しい伝送距離のもとでは、目標信号の信号減衰および／またはひずみは原信号の信号減衰および／またはひずみより小さい。本明細書において、等しい伝送条件とは、主に同一の温度および同一の伝送干渉を指す。
【００９２】
送信モジュール５３０は、変換モジュール５２０による変換によって取得した目標信号を、信号伝送路を用いて端末装置に送信する。等しい伝送条件および／または等しい伝送距離のもとでは、目標信号の信号減衰および／またはひずみが原信号の信号減衰および／またはひずみより小さいので、目標信号をより長い距離にわたり伝送することができる。
【００９３】
具体的には、例えば、目標信号がＲＳ２３２信号である場合、ＲＳ２３２信号の最大伝送距離は１５メートルに達することが可能であるが、ＴＴＬ信号といったＳＩＭカードにより出力される原信号の場合、最大でも数十センチ伝送できるにすぎない。ＲＳ２３２信号の伝送距離は原信号の伝送距離よりはるかに長く、ＲＳ２３２信号は、強い環境干渉に抵抗することができ、より複雑でより不都合な伝送条件に適合することができる。あるいは、目標信号がＬＶＤＳ信号である場合、ＬＶＤＳ信号の伝送距離は数十メートルに達することが可能であり、数十センチ、つまりＳＩＭカードにより出力される原信号の最大伝送距離よりはるかに長い。さらに、ＬＶＤＳ信号は、振幅が小さく、低電圧振幅かつ低電流のドライバを用いて出力可能であることを特徴し、消費電力およびノイズを最小限にすることができる。目標信号がＵＳＢ信号である場合、ＵＳＢ信号の最大伝送距離は５メートルである。内蔵型のチップ増幅器を備えるＵＳＢ信号増幅器路をＵＳＢ信号の送信に用いる場合、ＵＳＢ信号をさらに長い距離にわたり伝送することができる。さらに、ＵＳＢ信号の耐干渉性能はまた、ＳＩＭカードにより出力される原信号の耐干渉性能よりも優れている。
【００９４】
本発明の該実施形態において、ＳＩＭカードを端末装置から離すことができ、ＳＩＭカードと信号変換機器との間および信号変換機器と端末装置との間の両方の接続に、信号伝送路を用いることができる。取得モジュールがＳＩＭカードにより出力される原信号を取得した後、信号変換機器の変換モジュールが原信号を目標信号に変換する。目標信号の耐干渉性能は、ＳＩＭカードにより出力される原信号の耐干渉性能より優れている、または、目標信号の伝送消費電力は、ＳＩＭカードにより出力される原信号の伝送消費電力より少ない、または、目標信号は、より複雑でより不都合な伝送環境に適合することができる。従って、等しい伝送条件および／または等しい伝送距離のもとでは、目標信号の信号減衰および／またはひずみが原信号の信号減衰および／またはひずみより小さく、すなわち目標信号をより長い距離にわたり伝送することができる。従って、目標信号は、ＳＩＭカードを端末装置から離して配置する必要がある用途を満足させることができる。
【００９５】
より理解を深めるために、本発明の該実施形態における信号変換機器について、具体的な実装形態を用いて以下に説明する。図６は、本発明の別の実施形態による信号変換機器の概略図である。図６に示すように、本発明の別の実施形態における信号変換機器６０は、以下を含む。すなわち、
ＳＩＭカードにより出力される原信号を取得するよう構成された取得モジュール６１０と、
原信号を目標信号に変換するよう構成された変換モジュール６２０であって、等しい伝送条件および等しい伝送距離のもとでは、目標信号の信号減衰および／またはひずみが原信号の信号減衰および／またはひずみより小さい変換モジュールと、
目標信号を端末装置に送信するよう構成された送信モジュール６３０であって、端末装置は信号伝送路を用いて目標信号を取得し、ＳＩＭカードは端末装置から独立して存在する送信モジュールである。
【００９６】
変換モジュール６２０は第１の変換サブモジュール６２０１および第２の変換サブモジュール６２０２を含むことができ、
第１の変換サブモジュール６２０１は、第１の専用変換チップを用いるか、またはＦＰＧＡ（ｐｒｏｇｒａｍｍａｂｌｅ  ｌｏｇｉｃ  ｇａｔｅ  ａｒｒａｙ）を用いて、取得モジュール６１０により取得された原信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ）信号に変換するよう構成され、
第２の変換モジュール６２０２は、第２の専用変換チップを用いるか、または取り外し可能な装置を用いて、ＵＡＲＴ信号をＲＳ２３２信号に変換するよう構成される。
【００９７】
それに応じて、送信モジュール６３０は、送信モジュール６３０の第１の送信サブモジュール６３０１を用いて、ＲＳ２３２信号を端末装置に送信する。
【００９８】
変換モジュール６２０はさらに、第３の変換サブモジュール６２０３を含むことができ、
第３の変換サブモジュール６２０３は、第３の専用変換チップを用いて、原信号をＬＶＤＳ信号に変換するよう構成される。
【００９９】
それに応じて、送信モジュール６３０は、送信モジュール６３０の第２の送信サブモジュール６３０２を用いて、ＬＶＤＳ信号を端末装置に送信する。
【０１００】
さらに、変換モジュール６２０は、第４の変換サブモジュール６２０４をさらに含むことができ、
第４の変換サブモジュール６２０４は、第４の専用変換チップを用いて、原信号をＵＳＢ信号に変換するよう構成される。
【０１０１】
それに応じて、送信モジュール６３０は、送信モジュール６３０の第３の送信サブモジュール６３０３を用いて、ＵＳＢ信号を端末装置に送信する。
【０１０２】
より理解を深めるために、本発明の該実施形態における信号変換機器のモジュール間の相互作用方法を、実際の適用シナリオを用いて以下に説明する。詳細は以下の通りである。
【０１０３】
ＳＩＭカードにより出力される原信号の伝送距離は比較的短い。従って、通常、ＳＩＭカードはカードスロットに挿入され、カードスロットは、端末装置に直接配置されている。結果として、ＳＩＭカードにより出力される原信号の伝送距離では、ＳＩＭカードを端末装置から離して配置する必要がある用途を満足させることができない。
【０１０４】
本発明の該実施形態において、ＳＩＭカードを端末装置から離すことができる。すなわち、ＳＩＭカードは端末装置から独立して存在する。ＳＩＭカードと信号変換機器との間および信号変換機器と端末装置との間の両方の接続に、信号伝送路を用いることができる。信号変換機器の取得モジュール６１０は、まずＳＩＭカードにより出力される原信号を取得する。
【０１０５】
ＳＩＭカードを作成する際、異なるタイプのチップを用いるため、ＳＩＭカードにより出力される原信号のタイプもまたおそらく異なっている。例えば、ＳＩＭカードにより出力される原信号は、ＴＴＬ信号、またはＣＭＯＳ信号、または別のタイプの一般レベルの信号であってよい。これらの信号は、主に電圧の高レベルまたは低レベルの値において異なる。
【０１０６】
従って、ＳＩＭカードにより出力される異なるタイプの原信号は互いに変換することができ、変換方法は比較的簡単である。例えば、ＴＴＬ信号とＣＭＯＳ信号との間の変換は、単に２つの抵抗器を用いて電圧レベルの分割を行うことによって、実装できる。従って、本発明の該実施形態において、ＳＩＭカードによって出力される原信号がどのタイプであっても、変換モジュール６２０は、まず、ＳＩＭカードにより出力される異なる原信号を、ＴＴＬ信号といった所与のタイプの統一信号に変換することができる。そして次に、該統一信号を目標信号に変換することができる。
【０１０７】
具体的な変換方法は下記の通りである。
【０１０８】
第１の方法。
【０１０９】
第１の変換サブモジュール６２０１は、ＴＤＡ８０２９といった第１の専用変換チップを用いるか、またはＦＰＧＡ（ｆｉｅｌｄ  ｐｒｏｇｒａｍｍａｂｌｅ  ｌｏｇｉｃ  ｇａｔｅ  ａｒｒａｙ）を用いて、統一信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ）信号に変換する。
【０１１０】
ＵＡＲＴ信号はエラーを検索し修正する機能を有し、伝送の時系列、信号伝送路の素材、信号伝送路の幾何学的構造、および信号伝送路の技術的処理に対する要件は、ＳＩＭカードにより出力される原信号の伝送の時系列、信号伝送路の素材、または信号伝送路の幾何学的構造、および信号伝送路の技術的処理に対する要件よりもすべて低い。
【０１１１】
しかし、ＵＡＲＴ信号の伝送距離は依然十分に長いわけではなく、従って、ドライバエンハンスメント処理をＵＡＲＴ信号に対して行うことができる
【０１１２】
第２の変換サブモジュール６２０２は、ＭＡＸ３２２８といった第２の専用変換チップを用いて、第１の変換サブモジュール６２０１による変換によって取得したＵＡＲＴ信号を、ＲＳ２３２信号に変換する。
【０１１３】
ＲＳ２３２信号は、より高レベルの振幅およびより強い耐干渉性を有し、従って、信号伝送減衰およびひずみはより小さい。さらに、ＲＳ２３２信号の最大伝送距離は１５メートルに達することが可能であるが、ＳＩＭカードにより出力される原信号の最大伝送距離は数十センチにすぎない。本発明の該実施形態において、伝送距離は非常に増大する。
【０１１４】
第２の方法。
【０１１５】
第３の変換サブモジュール６２０３は、第３の専用変換チップを用いて統一信号をＬＶＤＳ信号に変換する。
【０１１６】
ＬＶＤＳ信号の標準的な伝送距離は、数十メートルに達することが可能であり、ＳＩＭカードにより出力される原信号の最大伝送距離である数十センチよりはるかに長い。
【０１１７】
第３の方法
【０１１８】
第４の変換サブモジュール６２０４は、ＣＰ２１０２チップといった第４の専用変換チップを用いて、統一信号をＵＳＢ信号に変換する。
【０１１９】
ＵＳＢ信号が増幅されていない場合、最大伝送距離は５メートルであり、ＳＩＭカードにより出力される原信号の最大伝送距離である数十センチより長い。内蔵型のチップ増幅器を備えるＵＳＢ信号増幅器路をＵＳＢ信号の送信に用いる場合、ＵＳＢ信号をさらに長い距離にわたり伝送することができる。さらに、ＵＳＢ信号はより強い耐干渉性を有し、従って、信号伝送減衰およびひずみはより小さい。
【０１２０】
前述の３つの方法のうち、具体的にいずれの方法を実践で用いるかは、端末装置のポートのタイプに応じて判断することができる。例えば、端末装置のポートがＲＳ２３２信号を認識可能であって、端末装置がＲＳ２３２信号から原信号を復元する機能を有する場合、第１の変換サブモジュール６２０１および第２の変換サブモジュール６２０２は、原信号をＲＳ２３２信号に変換する。端末装置のポートがＬＶＤＳ信号を認識可能であって、端末装置がＬＶＤＳ信号から原信号を復元する機能を有する場合、第３の変換モジュール６０２３は原信号をＬＶＤＳ信号に変換する。端末装置がＵＳＢポートを有する場合、第４の変換モジュール６２０４は原信号をＵＳＢ信号に変換する。
【０１２１】
端末装置は、具体的には、携帯電話やＰＡＤといった携帯端末装置であってよい。
【０１２２】
それに応じて、第１の送信モジュール６３０１は、第２の変換サブモジュール６２０２による変換によって取得したＲＳ２３２信号を、端末装置に送信する。
【０１２３】
第２の送信サブモジュール６３０２は、第３の変換サブモジュール６２０３による変換によって取得したＬＶＤＳ信号を、端末装置に送信する。
【０１２４】
第３の送信サブモジュール６３０３は、第４の変換サブモジュール６２０４による変換によって取得したＵＳＢ信号を、端末装置に送信する。
【０１２５】
本発明の該実施形態において、ＳＩＭカードを端末装置から離すことができ、ＳＩＭカードと信号変換機器との間および信号変換機器と端末装置との間の両方の接続に、信号伝送路を用いることができる。信号変換機器の取得モジュールがＳＩＭカードにより出力される原信号を取得し、変換モジュール内部の各変換サブモジュールが、原信号を、ＲＳ２３２信号、ＬＶＤＳ信号、またはＵＳＢ信号といった異なるタイプの目標信号に変換する。目標信号の耐干渉性能は、ＳＩＭカードにより出力される原信号の耐干渉性能より優れている、または、目標信号の伝送消費電力は、ＳＩＭカードにより出力される原信号の伝送消費電力より少ない、または、目標信号は、より複雑でより不都合な伝送環境に適合することができる。従って、等しい伝送条件および／または等しい伝送距離のもとでは、目標信号の信号減衰および／またはひずみが原信号の信号減衰および／またはひずみより小さく、目標信号をより長い距離にわたり伝送することができる。従って、目標信号は、ＳＩＭカードを端末装置から離して配置する必要がある用途を満足させることができる。
【０１２６】
本発明の該実施形態における信号変換機器について、以下にさらに説明する。図７は、本発明の別の実施形態による信号変換機器の概略図である。図７に示すように、本発明の別の実施形態における信号変換機器７０は、ユーザインタフェース７１０、変換器７２０、信号を処理するよう構成されたプロセッサ７３０、およびキャッシュコードを格納するよう構成されたメモリ７４０を含む。
【０１２７】
ユーザインタフェース７１０は、以下のプロセスを実行する。すなわち、
ＳＩＭカードにより出力される原信号を取得するステップと、
目標信号を端末装置に送信するステップであって、端末装置は信号伝送路を用いて目標信号を取得し、ＳＩＭカードは端末装置から独立して存在するステップである。
【０１２８】
変換器７２０は、以下のプロセスを実行する。すなわち、
原信号を目標信号に変換するステップであって、等しい伝送条件および／または等しい伝送距離のもとでは、目標信号の信号減衰および／またはひずみが原信号の信号減衰および／またはひずみより小さいステップである。
【０１２９】
原信号には、以下すなわち、論理回路ＴＴＬ信号、またはＣＭＯＳ（ｃｏｍｐｌｅｍｅｎｔａｒｙ  ｍｅｔａｌ−ｏｘｉｄｅ−ｓｅｍｉｃｏｎｄｕｃｔｏｒ）信号のうち少なくとも１つが含まれる。
【０１３０】
目標信号には、以下すなわち、ＲＳ２３２信号、またはＬＶＤＳ（ｌｏｗ−ｖｏｌｔａｇｅ  ｄｉｆｆｅｒｅｎｔｉａｌ  ｓｉｇｎａｌ）信号、またはＵＳＢ（ｕｎｉｖｅｒｓａｌ  ｓｅｒｉａｌ  ｂｕｓ）信号のうち少なくとも１つが含まれる。
【０１３１】
具体的には、変換器７２０は、原信号をＵＡＲＴ（ｕｎｉｖｅｒｓａｌ  ａｓｙｎｃｈｒｏｎｏｕｓ  ｒｅｃｅｉｖｅｒ／ｔｒａｎｓｍｉｔｔｅｒ）信号に変換するための、第１の専用変換チップまたはＦＰＧＡ（ｆｉｅｌｄ  ｐｒｏｇｒａｍｍａｂｌｅ  ｌｏｇｉｃ  ｇａｔｅ  ａｒｒａｙ）を含むことができる。変換器はさらに、ＵＡＲＴ信号をＲＳ２３２信号に変換してＲＳ２３２信号を端末装置に送信するための、第２の専用変換チップまたは取り外し可能な装置を含むことができる。
【０１３２】
あるいは、変換器７２０は、原信号をＬＶＤＳ信号に変換し、ＬＶＤＳ信号を端末装置に送信するための、第３の専用変換チップであることができる。
【０１３３】
あるいは、変換器７２０は、原信号をＵＳＢ信号に変換し、ＵＳＢ信号を端末装置に送信するための、第４の専用変換チップであることができる。
【０１３４】
本発明の該実施形態において、ＳＩＭカードを端末装置から離すことができ、ＳＩＭカードと信号変換機器との間および信号変換機器と端末装置との間の両方の接続に、信号伝送路を用いることができる。信号変換機器のユーザインタフェースがＳＩＭカードにより出力される原信号を取得し、変換器が原信号を、ＲＳ２３２信号、またはＬＶＤＳ信号、またはＵＳＢ信号といった異なるタイプの目標信号に変換する。目標信号の耐干渉性能は、ＳＩＭカードにより出力される原信号の耐干渉性能より優れている、または、目標信号の伝送消費電力は、ＳＩＭカードにより出力される原信号の伝送消費電力より少ない、または、目標信号は、より複雑でより不都合な伝送環境に適合することができる。従って、等しい伝送条件および／または等しい伝送距離のもとでは、目標信号の信号減衰および／またはひずみが原信号の信号減衰および／またはひずみより小さく、目標信号をより長い距離にわたり伝送することができる。従って、目標信号は、ＳＩＭカードを端末装置から離して配置する必要がある用途を満足させることができる。
【０１３５】
さらに、説明した機器の諸実施形態は、単に例示であることに留意されたい。別個の部品として説明したユニットは、物理的に離れていてもよいし、離れていなくてもよい。ユニットとして表示した部品は、物理的ユニットであってもよいし、物理的ユニットでなくてもよく、また１か所に配置してもよいし、複数のネットワークユニットに分散させてもよい。本発明の諸実施形態の解決策の目的を達成するための実際の要件に従って、モジュールの一部または全てを選択してよい。さらに、本発明により提供される機器の諸実施形態の添付図面において、モジュール間の接続関係は、モジュールが互いに通信接続されていることを示し、その通信接続は具体的には１つまたは複数の通信バスまたは信号路として実装することができる。当業者は、創造的な努力をせずとも、本発明の諸実施形態を理解し、実装することができよう。
【０１３６】
前述の実装方法の説明に基づき、本発明は、必要な汎用ハードウェアに加えてソフトウェアによって、または、アプリケーション固有の集積回路、専用ＣＰＵ、専用メモリ、専用コンポーネントなどを含む専用のハードウェアによって実装できることを、当業者は明確に理解できよう。一般に、コンピュータプログラムによって実施しうる機能であれば、対応するハードウェアを用いることによって、容易に実装することができる。さらに、１つの同じ機能を実現するために用いる特定のハードウェア構造は、例えば、アナログ回路、デジタル回路、専用回路などのように、さまざまな形式であってよい。しかし、本発明に関して、ソフトウェアプログラムの実装については、たいていの場合、本方法がより良い実装方法である。かかる理解に基づき、本発明の技術的解決策は、基本的に、または先行技術に寄与する部分で、ソフトウェア製品の形式で実装することができる。コンピュータソフトウェア製品は、例えば、コンピュータのフロッピーディスク、ＵＳＢフラッシュドライブ、ポータブルハードディスク、ＲＯＭ（Ｒｅａｄ−Ｏｎｌｙ  Ｍｅｍｏｒｙ、読み取り専用メモリ）、ＲＡＭ（Ｒａｎｄｏｍ  Ａｃｃｅｓｓ  Ｍｅｍｏｒｙ、ランダムアクセスメモリ）、磁気ディスク、または光ディスクといった、読み取り可能記憶媒体に記憶され、また、本発明の諸実施形態において説明した方法を実施するようコンピュータ装置（パーソナルコンピュータ、サーバ、ネットワーク装置などであってよい）に指示する複数の命令を含む。
【０１３７】
前述の通り、本発明の諸実施形態において提供するＳＩＭカードの信号変換方法および信号変換機器について、詳細に説明した。当業者は、本発明の諸実施形態の考え方に基づき、特定の実装方法および適用の範囲に関して修正を加えることができよう。したがって、本明細書の内容は、本発明に限るものと解釈すべきものではない。
【図１】
0006267346.tif 000002
【図２】
0006267346.tif 000003
【図３】
0006267346.tif 000004
【図４】
0006267346.tif 000005
【図５】
0006267346.tif 000006
【図６】
0006267346.tif 000007
【図７】
0006267346.tif 000008